(57)【要約】【課題】内面に対して簡易に放尿位置を設定することができ、製造工程数を低減して低コスト化する。小便器の設置状況に応じて放尿位置を簡易に変更することができ、尿の飛散を有効に防止する。照明手段に対する尿等の浸入を簡易に防止して内面を有効に照明することができ、構造を簡易化して低コスト化する。電球切れ等により照明手段を交換する必要が生じた場合であっても、照明手段を簡易に交換することができ、交換作業性に優れている。【解決手段】照明手段によりボウル部の内面を照明すると共にポインタ手段から出力されるレーザ光によりボウル部の放尿位置を表示して尿の飛散を抑制する。【選択図】図３
2014156739.tif 000002
【特許請求の範囲】
【請求項１】
尿を受けるボウル部を有した小便器本体と、
該小便器本体におけるボウル部の上部内面に、ボウル部内に光を照射する照明手段及び上記ボウル部内の放尿位置にレーザ光を照射して表示するポインタ手段を備えた小便器装置。
【請求項２】
請求項１において、
上記照明手段及びポインタ手段は、ボウル部上部に設けられた人感センサーから出力される人検知信号に基づいて点灯及び出力制御される小便器装置。
【請求項３】
請求項２において、
人感センサーは、赤外線センサーからなる小便器装置。
【請求項４】
請求項１において、
上記照明手段は、配列板にＬＥＤが配列されると共に該配列板の表面に透明板を気密状に積層したパネル構造とし、ＬＥＤから出力されるレーザ光を上記ボウル部内の放尿位置へ照射可能にした小便器装置。
【請求項５】
請求項１において、
上記ポインタ手段は、内蔵されたレーザ光出力部材から所望の色に応じた波長のレーザ光を出力する小便器装置。
【請求項６】
請求項５において、
上記レーザ光出力部材は、照射角度を可変可能に設けられる小便器装置。
【請求項７】
請求項５及び６のいずれかにおいて、
上記ボウル部内に設定される放尿位置には、常温で透明状態で、かつ加熱時に非透明状態へ遷移する可逆性感熱媒体が設けられ、照射されるレーザ光の熱エネルギーにより透明状態の可逆性感熱媒体を非透明化して放尿位置を表示可能にした小便器装置。
【請求項８】
請求項７において、
上記ボウル部内に設定される放尿領域は、上下方向に対してレーザ光の照射可変角度に対応する幅を設けて設定し、設置状況に応じて放尿位置を可変調整可能にした小便器装置。
【請求項９】
請求項１において、
ボウル部には、異なる光を出力する複数の照明手段を設け、ボウル部における上下方向の領域ごとに異なる光を照射可能にする小便器装置。
【発明の詳細な説明】
【技術分野】
【０００１】
本発明は、尿の飛散を抑制しようとする意思や心理的な安心感を与えることが可能な小便器装置に関する。
【背景技術】
【０００２】
男性使用者が放尿をしようとする際に、尿の飛散を抑制しようとする意思や心理的な安心感を与えるため、例えば特許文献１に示す小便器が提案されている。該小便器は、尿の飛散を抑制可能なボウル部内面にターゲットマーク部を形成し、該ターゲットマーク部に向かって放尿するように促して飛散を防止するようにしている。
【０００３】
しかし、該小便器にあっては、ボウル部内面の所要箇所にターゲットマーク部を印刷したり、小便器とは別素材のマークを取り付けたりして製造しなければならず、製造工程数が増大する問題を有している。
【０００４】
また、小便器のボウル部内面に設けられるターゲットマーク部が常に一定の位置に固定されるため、小便器の設置高さ等に応じて該ターゲットマーク部の位置を変更できない問題を有している。このため、小便器の設置状況に応じては、最適位置にターゲットマーク部を位置させることができず、尿の飛散を有効に防止できなかった。
【０００５】
夜間等の暗がりにおける小便器への放尿位置を容易に確認して飛散を防止すると共に尿による汚れを防止するため、例えば特許文献２に示す小便器が提案されている。該小便器は、ボウル部の内側に内面を照らす間接照明等を配設し、小便器への放尿位置や飛散状態を確認できるようにしている。
【０００６】
しかし、該小便器にあっては、内面に照明部材を配設するには、付着した尿や掃除する際に水の浸入を防止する必要上、照明部材を防水構造にする必要があり、構造が複雑化する問題を有している。また、照明部材の電球が切れた際には、電球を交換する必要があるが、防水性を保ちながら電球等の交換を可能にするには、防水開放構造が複雑化して高コスト化する問題を有している。
【先行技術文献】
【特許文献】
【０００７】
【特許文献１】特開２００２−３２２７２５号公報
【特許文献１】実開平２−６７５０８号公報
【発明の概要】
【発明が解決しようとする課題】
【０００８】
解決しようとする問題点は、内面にターゲットマーク部を予め配設して小便器を製造しなければならず、製造工程数の増大により高コスト化する点にある。
【０００９】
内面に対してターゲットマーク部が固定的に配設されるため、小便器の設置状況に応じてターゲットマーク部の配設位置を変更できず、飛散を有効に防止できない点にある。
【００１０】
内面に設けられた照明手段に対する尿等の浸入を防止するため、防水構造にしなければならず、構造が複雑化して高コスト化する点にある。
【００１１】
尿等の浸入を防止しながら照明手段の交換を可能にする必要から、照明手段の防水構造が複雑化して高コスト化する点にある。
【課題を解決するための手段】
【００１２】
本発明は、尿を受けるボウル部を有した小便器本体と、該小便器本体におけるボウル部の上部内面に、ボウル部内に光を照射する照明手段及び上記ボウル部内の放尿位置にレーザ光を照射して放尿位置を表示するポインタ手段を備えたことを最も主要な特徴とする。
【発明の効果】
【００１３】
本発明は、内面に対して簡易に放尿位置を表示することができ、製造工程数を低減して低コスト化することができる。
【００１４】
小便器の設置状況に応じて放尿位置を簡易に変更することができ、尿の飛散を有効に防止することができる。
【００１５】
照明手段に対する尿等の浸入を簡易に防止して内面を有効に照明することができ、構造を簡易化して低コスト化することができる。
【００１６】
電球切れ等により照明手段を交換する必要が生じた場合であっても、照明手段を簡易に交換することができ、交換作業性に優れている。
【図面の簡単な説明】
【００１７】
【図１】小便器装置の概略を示す全体斜視図である。
【図２】小便器装置の概略中央縦断面図である。
【図３】ボウル部内における照明状態及び放尿位置の表示状態を示す説明図である。
【図４】ポインタ手段によるレーザ光の照射角度変更状態を示す説明図である。
【図５】ボウル部内に可逆感熱媒体を設けてレーザ光の照射角度を変更したそれぞれの状態を示す説明図である。
【図６】ボウル部内に異なる色の照明手段を複数設けて照明した状態を示す説明図である。
【発明を実施するための形態】
【００１８】
照明手段によりボウル部の内面を照明すると共にポインタ手段から出力されるレーザ光をボウル部内面にて反射する尿の飛散を抑制する放尿位置に照射して表示することを最適の実施形態とする。
【実施例１】
【００１９】
以下、本発明の実施例を図に従って説明する。
図１及び図２は、小便器装置１の一例を示し、該小便器装置１は、給水ユニット３と、小便器本体５と、給水管７と、スプレッダー９と、トラップ部１１とから構成され、給水ユニット３及び小便器本体５は、建築躯体の壁面１３に取り付けられている。
【００２０】
小便器本体５は、小便器本体５の使用者からの尿流を受け止めるボウル部１５を備え、該ボウル部１５の内面にはボウル壁面１５ａが形成される。該ボウル壁面１５ａは、ボウル背壁面１５ｂとボウル底面１５ｃとを含み、使用者から放たれた尿流は、主にボウル背壁面２０２ａに当たって下方に流れた後にボウル底面１５ｃのボウル背壁面１５ｂ側に開口した排水口１５ｄからトラップ部１１へと流れる。
【００２１】
なお、給水管７は、給水ユニット３と小便器本体５内のスプレッダー９を接続する管で、該給水管７の上流側には給水ユニット３が接続される。該給水ユニット３は、壁面の裏面側に配管された建築側給水管（図示せず）に接続される。
【００２２】
また、ボウル背壁面１５ｂの上部に設けられたスプレッダー９は、接続された給水管７から供給される洗浄水を放出し、ボウル背壁面１５ｂに沿って広がりながら流下してボウル壁面１５ａを洗浄する。ボウル壁面１５ａを洗浄した洗浄水は、ボウル底面１５ｃに開口した排水口１５ｄからトラップ部１１へと流れて排水される。
【００２３】
上記ボウル背壁面１５ｂの上部内面には、照明手段１７が取り付けられる。該照明手段１７は、配列板１７ａに多数のＬＥＤ１７ｂをアレイ状に取り付けたもので、該配列板１７ａの表面（図の下面）には、防水透明板１７ｃが配列板１７ａに対して気密に取り付けられたパネル構造からなる。該照明手段１７は、ＬＥＤ１７ｂから出力される光をボウル背壁面１５ｂに照射する。
【００２４】
上記ボウル背壁面１５ｂにおける上部内面の中央部には、ポインタ手段１９が取り付けられる。該ポインタ手段１９は、内蔵された半導体レーザからビーム状のレーザ光を出力してボウル背壁面１５ｂの放尿位置を表示する。該ポインタ手段１９は、出力されるレーザ光の波長に応じた色で放尿位置を表示させる。上記放尿位置としては、ボウル背壁面１５ｂに向かって放尿した際に反射等による尿の飛散を抑制可能な位置に設定される。
【００２５】
また、上記ボウル背壁面１５ｂの上部には、人感センサー２１が設けられる。該人感センサー２１は、赤外線検知センサーにより構成され、上記小便器本体５に対して使用者が所要の検知領域内に位置した際に、人体から放出される赤外線を検知して人検知信号を出力する。上記した照明手段１７及びポインタ手段１９は、人感センサー２１から出力される人検知信号に基づいてＯＮ制御される。
【００２６】
次に、小便器装置１の作用を説明すると、小便器本体５に対して使用者が人感センサー２１の検知エリア内に近づくと、該人感センサー２１から出力される人検知信号に基づいて照明手段１７のＬＥＤを点灯駆動してボウル背壁面１５ｂを照明すると共にポインタ手段１９を出力駆動して半導体レーザから出力される所要のビーム径及び色彩のレーザ光をボウル背壁面１５ｂにおける放尿位置へ照射して表示させる。
【００２７】
このように小便器本体５におけるボウル背壁面１５ｂが照明されることにより使用者は、周囲が暗い場合であっても放尿位置やボウル背壁面１５ｂからの反射による尿の飛散状態を確認することができ、小便器本体５の汚れを有効に防止することができる。また、ボウル背壁面１５ｂからの反射による尿に飛散を抑制可能な放尿位置がレーザ光により表示されるため、使用者は、放尿位置に向かって容易に放尿することにより尿の飛散を最小限に抑制して小便器本体５の汚れを有効に防止することができる。（図３参照）
【００２８】
本発明は、以下のように変更実施することができる。
【００２９】
１．ポインタ手段１９のレーザ光照射角度を変更可能に設け、小便器本体５の設置高さに応じてボウル背壁面１５ｂにおける放尿位置に対する照射位置を可変可能に構成する。（図４参照）
【００３０】
小便器本体５の設置状況によっては、床面に対して高さを設けて設置する場合がある。このような場合にあっては、ボウル背壁面１５ｂにおける放尿位置を小便器本体５の設置高さに応じて変更する必要があり、ポインタ手段１９のレーザ光照射角度を変更可能に構成することにより小便器本体５の設置高さに応じて放尿位置を変更調整することができる。
【００３１】
２．使用者の放尿前においては、ボウル背壁面１５ｂにおける放尿位置に照射されたレーザ光は、ボウル背壁面１５ｂから反射して他の箇所をも表示する恐れがある。
【００３２】
これを防止するため、ボウル背壁面１５ｂにおける放尿位置に対して飽和もしくは不飽和酸、あるいはジカルボン酸当の脂肪酸若しくは脂肪酸誘導体にエステル、アミド等の誘導体を含有し、常温では透明で、加熱時に非透明化して視認可能にする可逆性感熱媒体５１を設け、レーザ光が照射された際に、レーザ光の熱エネルギーにより可逆性感熱媒体５１を非透明化して放尿位置を表示できるように構成する。
【００３３】
なお、上記したように小便器本体５の設置高さに応じて放尿位置を変更調整すること必要がある場合には、放尿位置を中心に上下方向に幅を設けて上記可逆性感熱媒体５１を配設し、レーザ光の照射角度が変更された場合であっても、可逆性換熱媒体５１に照射されたレーザ光により所要箇所を非透明化して放尿位置を表示できるように構成してもよい。（図５参照）
【００３４】
３．ボウル背壁面１５ｂの内面両側に異なる色の光を照射する照明手段６１ａ、６１ｂ、６１ｃを上下方向に多段状に配設し、使用者の身長に応じた上下方向の各領域ごとに異なる色の光を照射するように構成する。
【００３５】
これにより使用者は、ボウル背壁面１５ｂの内面に照射される光の色により凡その放尿位置を確認することができ、ボウル背壁面１５ｂから反射する尿の飛散を抑制することができる。（図６参照）
【符号の説明】
【００３６】
１  小便器装置
３  給水ユニット
５  小便器本体
７  給水管
９  スプレッダー
１１  トラップ部
１３  壁面
１５  ボウル部
１５ａ  ボウル壁面
１５ｂ  ボウル背壁面
１５ｃ  ボウル底面
１５ｄ  排水口
１７  照明手段
１７ａ  配列板
１７ｂ  ＬＥＤ
１７ｃ  透明板
１９  ポインタ手段
２１  人感センサー
５１  可逆性感熱媒体
６１ａ、６１ｂ、６１ｃ  照明手段
【図１】
2014156739.tif 000003
【図２】
2014156739.tif 000004
【図３】
2014156739.tif 000005
【図４】
2014156739.tif 000006
【図５】
2014156739.tif 000007
【図６】
2014156739.tif 000008